(57)【要約】      （修正有）【課題】内部時刻情報のずれを確認して容易に調整可能とする。【解決手段】時刻登録部１１４は、所定の設定時刻情報を予め記憶した着脱自在なＵＳＢメモリ１１の接続を検出した際に、その設定時刻情報１３６をＲＴＣクロック発生部７２に登録して時計動作を開始させる。時報報知部１１８は、時刻情報が１日２４時間について予め定めた所定の標準時に達したことを判別して時報を出力する。簡易時刻合せ部１２０は時刻設定スイッチ５６の例えば長押操作を検出した時に、ＲＴＣクロック発生部７２で生成している現在時刻情報のずれを３０分以内の遅れ又は３０分未満の進みと看做して０分０秒の時刻に時刻合せする。【選択図】図５
2010160729.tif 000002
【特許請求の範囲】
【請求項１】
電気錠を備えた扉に対応して設置され、識別情報の認証により前記電気錠を解錠又は施錠すると共に、時刻情報を含む入退出情報を管理するアクセスコントロール装置に於いて、
時刻情報を生成する時計回路部と、
所定の設定時刻情報を予め記憶した着脱自在な可搬型メモリデバイスの接続を検出するメモリデバイス検出部と、
時刻登録操作を検出した際に、前記可搬型メモリデバイスの設定時刻情報を前記時計回路部に登録して時計動作を開始させる時刻登録部と、
を備えたことを特徴とするアクセスコントロール装置。
【請求項２】
電気錠を備えた扉に対応して設置され、識別情報の認証により前記電気錠を解錠又は施錠すると共に、時刻情報を含む入退出情報を管理するアクセスコントロール装置に於いて、
時刻情報を生成する時計回路部と、
所定の設定時刻情報を予め記憶した着脱自在な可搬型メモリデバイスの接続を検出するメモリデバイス検出部と、
時刻情報書出操作を検出した際に、前記時計回路部の時刻情報を読出して前記可搬型メモリデバイスに書き込む時刻情報吐出し部と、
を備えたことを特徴とするアクセスコントロール装置。
【請求項３】
電気錠を備えた扉に対応して設置され、識別情報の認証により前記電気錠を解錠又は施錠すると共に、時刻情報を含む入退出情報を管理するアクセスコントロール装置に於いて、
時刻情報を生成する時計回路部と、
前記時刻情報が１日２４時間について予め定めた所定の標準時刻に達したことを判別して時報を出力する時報報知部と、
を備えたことを特徴とするアクセスコントロール装置。
【請求項４】
電気錠を備えた扉に対応して設置され、識別情報の認証により前記電気錠を解錠又は施錠すると共に、時刻情報を含む入退出情報を管理するアクセスコントロール装置に於いて、
時刻情報を生成する時計回路部と、
時刻合せ操作を検出した際に、前記時計回路部で生成している現在時刻情報のずれを３０分以内の遅れ又は３０分未満の進みと看做して０分０秒の時刻に時刻合せする時刻合せ部と、
を備えたことを特徴とするアクセスコントロール装置。
【請求項５】
電気錠を備えた扉に対応して設置され、識別情報の認証により前記電気錠を解錠又は施錠すると共に、時刻情報を含む入退出情報を管理するアクセスコントロール装置に於いて、
時刻情報を生成する時計回路部と、
時刻合せ操作を検出した際に、前記時計回路部で生成している現在時刻情報を、１日２４時間について予め定めた０分０秒の所定の標準時刻に時刻合せする時刻合せ部と、
を備えたことを特徴とするアクセスコントロール装置。
【請求項６】
請求項１又は２記載のアクセスコントロール装置に於いて、前記メモリデバイス検出部は、前記可搬型メモリデバイスから読み出したデバイス識別情報と装置内部メモリに登録した登録デバイス識別情報とを比較して一致した時にデータアクセスを許容することを特徴とするアクセスコントロール装置。
【請求項７】
請求項１又は２記載のアクセスコントロール装置に於いて、前記メモリデバイス検出部は、前記可搬型メモリデバイスから暗号化されたデバイス識別情報を読み出して復号し、前記装置内部メモリに登録した登録デバイス識別情報と比較して一致した時にデータアクセスを許容することを特徴とするアクセスコントロール装置。
【請求項８】
請求項１又は２記載のアクセスコントロール装置に於いて、前記メモリデバイス部は、前記可搬型メモリデバイスから第１デバイス識別情報を読み出すと共に暗号化された第２デバイス識別情報を読み出して復号し、前記第１デバイス識別情報と第２デバイス識別情報と比較して一致した時にデータアクセスを許容することを特徴とするアクセスコントロール装置。
【請求項９】
請求項１又は２記載のアクセスコントロール装置に於いて、前記可搬型メモリデバイスはＵＳＢメモリであることを特徴とするアクセスコントロール装置。
【発明の詳細な説明】
【技術分野】
【０００１】
本発明は、カード等に格納された識別情報を用いた認証により電気錠を解錠又は施錠すると共に入退出情報を管理するアクセスコントロール装置に関し、特に、電気錠を備えた扉に対応して設置可能なスタンドアローン型のアクセスコントロール装置に関する。
【背景技術】
【０００２】
従来、オフィスビル等の各種施設において、セキュリティを確保するため、室内への人の出入りを管理する入退室管理システムが利用されている。この入退室管理システムは、一般に、管理室等に配置されるウェブサーバ機能を備えたコントロール装置、各部屋の近傍等に配置される制御盤、各部屋の扉の近傍に配置されるカードリーダ、および、各扉に配置される電気錠等で構成されている。
【０００３】
システムの運用に際しては、各部屋に出入りすることが許される利用者の識別情報をアクセスコントロール装置に設定し、この識別情報を制御盤にアップロードする。利用者が各部屋に出入りする際、自己の識別情報を記録したカード等をカードリーダに通すと、カードリーダで読み取られた識別情報が制御盤に送信され、この制御盤で識別情報の照合が行われる。識別情報が合致した場合には、電気錠が解錠されて利用者が入退室することができ、識別情報が合致しない場合には、電気錠が施錠状態のまま保持されて利用者の入退室が拒否される。
【０００４】
また入退出管理情報の参照や閲覧については、イーサネット（Ｒ）などにより接続したクライアントマシンからウェブサーバにアクセスしてできるようにしている。
【０００５】
また入退出管理システムにあっては、運用履歴の日付情報や時間帯による解錠施錠管理などのために年月日時分秒の時刻情報を生成する時計機能を備えている。
【先行技術文献】
【特許文献】
【０００６】
【特許文献１】特開２００２−２９８１８２号公報
【特許文献２】特開２００１−０２０５７４号公報
【発明の概要】
【発明が解決しようとする課題】
【０００７】
しかしながら、このような従来の入退出管理システムにあっては、大型のオフィスビルなどを対象とした部屋数の多い規模の大きな施設を対象としており、上位に設置したウェブ機能を備えたアクセスコントロール装置からネットワークを介して各部屋に設置された制御盤及びカードリーダのデータ管理を行っており、部屋数の比較的少ない小規模の施設に設置するにはコストが嵩み、サポートすることができない問題がある。
【０００８】
そこで、小規模な施設を対象に簡易的な入出退管理をサポートするため、従来のネットワークによるデータ管理に加え、可搬型メモリデバイスを使用したオフラインでのデータ授受などのデータ管理機能を採用するスタンドアローン型のアクセスコントロール装置が考えられている。
【０００９】
可搬型メモリデバイスを使用したオフラインによるデータ管理は、メンテナンスに必要な情報を可搬型メモリデバイスに格納し、アクセスコントロール装置に接続してメンテナンスを行うことになる。
【００１０】
一方、スタンドアローン型のアクセスコントロール装置にあっても、従来のネットワークを主体とした入退出管理システムと同様、運用履歴の日付情報や時間帯による解錠施錠管理などのために年月日時分秒の時刻情報を内部的に生成するため時計機能を設ける。
【００１１】
しかし、装置の低コスト化や小型化の要求に伴い時刻表示器の設置がスペース等の問題から省略され、内部で生成している時刻情報に誤差が生じていても簡単に判定することができない。このように時刻ずれを起こした状態で運用されると、履歴情報に含まれる時刻が実時刻とずれたり、時間帯による解錠施錠管理を行っている場合に意図しない時間帯に施錠が解除されるといった問題が発生する。
【００１２】
本発明は、内部時刻情報のずれを確認して容易に調整可能とするアクセスコントロール装置を提供することを目的とする。
【課題を解決するための手段】
【００１３】
（時刻登録）
本発明は、電気錠を備えた扉に対応して設置され、識別情報の認証により電気錠を解錠又は施錠すると共に、時刻情報を含む入退出情報を管理するアクセスコントロール装置に於いて、
時刻情報を生成する時計回路部と、
所定の設定時刻情報を予め記憶した着脱自在な可搬型メモリデバイスの接続を検出するメモリデバイス検出部と、
時刻登録操作を検出した際に、可搬型メモリデバイスの設定時刻情報を時計回路部に登録して時計動作を開始させる時刻登録部と、
を備えたことを特徴とする。
【００１４】
（時刻情報吐出し）
また、本発明は、電気錠を備えた扉に対応して設置され、識別情報の認証により電気錠を解錠又は施錠すると共に、時刻情報を含む入退出情報を管理するアクセスコントロール装置に於いて、
時刻情報を生成する時計回路部と、
所定の設定時刻情報を予め記憶した着脱自在な可搬型メモリデバイスの接続を検出するメモリデバイス検出部と、
時刻情報書出操作を検出した際に、時計回路部の時刻情報を読出して可搬型メモリデバイスに書き込む時刻情報吐出し部と、
を備えたことを特徴とする。
【００１５】
（時報報知）
また、本発明は、電気錠を備えた扉に対応して設置され、識別情報の認証により電気錠を解錠又は施錠すると共に、時刻情報を含む入退出情報を管理するアクセスコントロール装置に於いて、
時刻情報を生成する時計回路部と、
時刻情報が１日２４時間について予め定めた所定の標準時に達したことを判別して時報を出力する時報報知部と、
を備えたことを特徴とする。
【００１６】
（簡易アジャスト）
また、本発明は、電気錠を備えた扉に対応して設置され、識別情報の認証により電気錠を解錠又は施錠すると共に、時刻情報を含む入退出情報を管理するアクセスコントロール装置に於いて、
時刻情報を生成する時計回路部と、
時刻合せ操作を検出した際に、時計回路部で生成している現在時刻情報のずれを３０分以内の遅れ又は３０分未満の進みと看做して０分０秒の時刻に時刻合せする時刻合せ部と、
を備えたことを特徴とする。
【００１７】
（強制アジャスト）
また、本発明は、電気錠を備えた扉に対応して設置され、識別情報の認証により電気錠を解錠又は施錠すると共に、時刻情報を含む入退出情報を管理するアクセスコントロール装置に於いて、
時刻情報を生成する時計回路部と、
時刻合せ操作を検出した際に、時計回路部で生成している現在時刻情報を、１日２４時間について予め定めた０分０秒の所定の標準時刻に時刻合せする時刻合せ部と、
を備えたことを特徴とする。
【００１８】
（メモリデバイスの認証）
ここで、メモリデバイス検出部は、可搬型メモリデバイスから読み出したデバイス識別情報と装置内部メモリに登録した登録デバイス識別情報とを比較して一致した時にデータアクセスを許容する。
【００１９】
また、メモリデバイス検出部は、可搬型メモリデバイスから暗号化されたデバイス識別情報を読み出して復号し、装置内部メモリに登録した登録デバイス識別情報と比較して一致した時にデータアクセスを許容するようにしても良い。
【００２０】
また、メモリデバイス部は、可搬型メモリデバイスから第１デバイス識別情報を読み出すと共に暗号化された第２デバイス識別情報を読み出して復号し、第１デバイス識別情報と第２デバイス識別情報と比較して一致した時にデータアクセスを許容するようにしても良い。
【００２１】
また、可搬型メモリデバイスはＵＳＢメモリである。
【発明の効果】
【００２２】
本発明によれば、次の効果が得られる。
（時刻登録）
本発明によれば、装置の使用を開始するときに、可搬型メモリデバイスである例えばＵＳＢメモリに未来に到来する所定の設定時刻情報、例えば当日の１２時００分００秒を予め記憶し、このＵＳＢメモリを装置のＵＳＢポートに挿入した状態で、正午の時報に合わせて時刻設定スイッチなどによる登録操作を行うと、この登録操作が検出されて、ＵＳＢメモリの当日１２時００分００秒が時計回路部に登録され、最初の時刻登録を簡単な操作で確実に行うことができる。
【００２３】
（時刻情報吐出し）
本発明によれば、ＵＳＢメモリを挿入した状態で任意の時報などに合わせて時刻情報書出のためのスイッチ操作を行うと、このスイッチ操作が検出されて時計回路部の時刻情報がＵＳＢメモリ書き出され、その後、ＵＳＢメモリをパソコンなどに挿入して書き出した時刻情報を表示させることで、時刻情報のずれを確認することができる。このように時刻ずれがわかれば、例えば既に取得している運用履歴情報の時刻を正しい時刻に修正するといった対応ができる。
【００２４】
（時報報知）
本発明によれば、時計回路部により生成している時刻情報が１日２４時間について予め定めた所定の標準時刻、例えば正午の１２時００分００秒に達したことを判別して時報を出力するため、アクセスコントロール装置からの時報と時計や放送の時報とを比較して聴くことで、内部で生成している時刻情報のずれを簡単且つ容易に確認することができる。
【００２５】
（簡易アジャスト）
本発明によれば、時計回路部で生成している時刻情報のずれを修正する場合には、適宜の時報のタイミングで時刻合せのスイッチ操作を行うと、このスイッチ操作を検出して、時計回路部で生成している現在時刻情報のずれを３０分以内の遅れ又は３０分未満の進みと看做して０分０秒の時刻に時刻合せすることで、簡単に内部時刻情報のずれを修正することができる。
【００２６】
（強制アジャスト）
本発明によれば、予め定めた一日２４時間のおける標準時刻、例えば当日の１２時００分００秒に合わせて時刻合せのスイッチ操作を行うと、このスイッチ操作を検出して時計回路部で生成している現在時刻情報を時刻ずれの如何に関らず強制的に標準時刻である当日の１２時００分００秒に時刻合せし、これによって内部で生成している時刻情報の精度を維持することができる。
【００２７】
（メモリデバイスの認証）
本発明によれば、時刻情報の登録や書出しに使用するＵＳＢメモリについて、管理用のＵＳＢメモリであることの認証成功でアクセスを可能としており、ＵＳＢメモリを使用して不正行為により時刻情報が変更されることを防止する。
【図面の簡単な説明】
【００２８】
【図１】本発明によるアクセスコントロール装置の外観を示した説明図
【図２】本発明によるアクセスコントロール装置の正面、断面及び底面を示した説明図
【図３】図１のカバーを外して本体内部の構造を示した説明図
【図４】本発明によるアクセスコントロール装置の回路構成を示したブロック図
【図５】時刻登録、時報、時刻アジャスト、時刻書出しを行う本発明によるアクセスコントロール装置の実施形態を示した機能ブロック図
【図６】図５の実施形態における時刻管理処理を示したフローチャート
【図７】図６のステップＳ２における時刻登録処理の詳細を示したフローチャート
【図８】図６のステップＳ４における簡易時刻合せ処理の詳細を示したフローチャート
【図９】図６のステップＳ５における強制時刻合せ処理の詳細を示したフローチャート
【図１０】図６のステップＳ６における時刻情報吐出し処理の詳細を示したフローチャート
【発明を実施するための最良の形態】
【００２９】
図１は本発明によるアクセスコントロール装置の外観を示した説明図である。図１において、アクセスコントロール装置１０は、電気錠を備えた各部屋の扉に対応して扉近傍の壁面などに設置されている。
【００３０】
アクセスコントロール装置１０はカバー１２の上部に非接触カードリーダ部１８を設けており、ここにユーザが保有している非接触カードをかざすことで、カードに格納されている利用者情報が読み取られ、予め登録している利用者情報との比較照合により照合一致が得られたとき電気錠を開錠し、ドアを開いて入室し、ドアを閉じたことを検出した時に電気錠を施錠する。
【００３１】
非接触カードリーダ部１８の下側にはアクセスコントロールに必要な各種の表示及びスイッチが配置されている。カバー１２のパネル面には表示灯として、カード読取状態表示灯２０、電気錠開表示灯２２、戸締表示灯２４、警戒表示灯２６、火災表示灯３２、警報表示灯３４、障害表示灯３６及び電源灯４０が設けられ、また操作スイッチとして、警戒モード設定スイッチ２８、警戒モード解除スイッチ３０及び復旧スイッチ３８が設けられている。
【００３２】
カード読取状態表示灯２０はカードを読み取って、有効なカードであれば緑で点灯し、無効なカードであれば赤で点滅する。電気錠開表示灯２２は電気錠が解錠されているときに点灯する。戸締表示灯２４はアクセスコントロール装置１０に接続している人感センサやシャッターセンサにより侵入者を検出したときや戸締まりが完了していないときに、その状態を表示する。警戒表示灯２６はアクセスコントロール装置１０に接続されている防犯設備（防犯センサ）の警戒状態を表示する。
【００３３】
警戒モード設定スイッチ２８は防犯センサを警戒モードに移行するときに操作する。
【００３４】
警戒モード解除スイッチ３０は防犯センサの警戒モードを解除するときに操作する。
【００３５】
火災表示灯３２は火災受信機から火災代表移報としての火災信号を受けたときに点灯する。警報表示灯３４は侵入者、火災、接点情報など各種警報状態が発生した際に点灯する。障害表示灯３６は装置自体、システム状態あるいは通信状態などで障害が発生した場合に点灯する。復旧スイッチ３８は火災、警戒、障害など警報状態が発生した場合の警報停止、警報状態ラッチの解除を行うために操作する。
【００３６】
またアクセスコントロール装置１０には年月日時分秒の時刻情報を生成する時計回路部として例えばＲＴＣクロック発生部が内蔵されているが、カバー１２には内部時刻を表示するための表示器は設けられていない。
【００３７】
図２は図１に示したアクセスコントロール装置１０の正面、断面及び底面を示した説明図である。即ち図２（Ａ）が正面、図２（Ｂ）が断面、図２（Ｃ）が底面を示している。
【００３８】
図２において、本実施形態のアクセスコントロール装置１０は、本体１４と、本体１４の表側に着脱自在に設けられたカバー１２で構成されている。本体１４の底部にはシリンダー錠１６が設けられ、鍵を使用してシリンダー錠１６を開錠することで、カバー１２を本体１４から外すことができる。
【００３９】
図３は図１のカバーを外して本体内部の構造を示した説明図である。図３において、アクセスコントロール装置１０の本体１４の内部には回路基板４２が配置されており、回路基板４２の下側に操作スイッチとして、ＵＳＢメモリ取外スイッチ５０、履歴データ書出スイッチ５２、設備データ読込スイッチ５４及び日付設定スイッチ５６を設けている。さらに回路基板４２には、ブザー４８、カバー１２の開放を検出するタンパースイッチ４６を設けている。回路基板４２上の右側には可搬型メモリデバイスであるＵＳＢコネクタ６０が配置され、ここにデータ管理をオフラインで行うためＵＳＢメモリを本体１４の右側面から接続して、入退室履歴情報、利用者情報、設備管理情報などの読出し及び書込みを行うことになる。
【００４０】
回路基板４２の左側には破線で示すように、必要に応じてＬＡＮコネクタを接続することができ、必要に応じて本発明のアクセスコントロール装置１０をネットワークを介して上位装置に接続することができる。
【００４１】
ＵＳＢコネクタ６０の下側にはメモリカードとして知られたＣＦカード（コンパクトフラッシュ（Ｒ）カード）６４が配置され、アクセスコントロール装置１０の動作に必要なＯＳイメージ、および必要な各種のデータを事前に格納した上で、図示のように本体１４の回路基板４２にセットすることで、アクセスコントロール装置の制御処理が行えるようにしている。
【００４２】
図２及び図３に示したアクセスコントロール装置１０の構造から明らかなように、ＵＳＢメモリを挿入接続するＵＳＢコネクタ６０は、カバー１２により閉鎖された本体１４内の回路基板４２上に設けられており、ＵＳＢコネクタ６０にＵＳＢメモリを接続するためにはシリンダー錠１６を開錠してカバー１２を外さなければならず、このようなシリンダー錠１６による施錠により鍵を持たない関係者以外の人が不正にＵＳＢメモリを使用して、アクセスコントロール装置１０のデータ取得、閲覧、改竄、更には時刻設定などができないようにしている。
【００４３】
また、ＵＳＢコネクタ６０を本体１４の右側面付近に設け、ＵＳＢメモリを本体１４の右側面から接続する構成にしたことで、ＵＳＢメモリを差し込んだとき、ＵＳＢメモリが本体１４の右側面より外側にはみ出すように接続される。これによりＵＳＢメモリを取り外さないとカバー１２を本体１４に閉めることができず、ＵＳＢメモリの取り忘れを防止している。
【００４４】
図４は本発明によるアクセスコントロール装置の回路構成を示したブロック図である。図４において、アクセスコントロール装置１０にはＣＰＵ７０が設けられ、ＣＰＵ７０に対しては時計回路部として機能するリアルタイムクロック回路部（ＲＴＣ回路部）７２が設けられる。
【００４５】
リアルタイムクロック回路部７２はカレンダークロックとも呼ばれており、年月日時分秒の時刻データを生成し、時刻情報を付加した履歴情報の記憶や設定した時間帯に対応した電気錠１０８の解錠施錠制御ができるようにしている。なお、以下の説明では、リアルタイムクロック発生部７２により生成する時刻情報の抽象的な表現として、「ｙｙｙｙ年ｍｍ月ｄｄ日ＨＨ時ＭＭ分ＳＳ秒」を用いるものとする。
【００４６】
また、ＲＴＣクロック発生部７２はボタン型電池やスーパーキャパシタなどによりバックアップされており、アクセスコントロール装置１０の電源がオフしても時計機能は動作できるようにしている。
【００４７】
またＣＰＵ７０に対しては、ＲＳ４８５インタフェース８０を介して外付けカードリーダ８２を取り付けることができる。またＣＰＵ７０に対しては内蔵カードリーダモジュール８４が設けられており、非接触カードをかざすことで、内部カードリーダモジュール８４により、利用者の保有するカードの利用者情報を取得して電気錠１０８の開錠や施錠などを制御できる。
【００４８】
ＵＳＢインタフェース８６は、ＵＳＢコネクタ６０に対するＵＳＢメモリ１１の接続に対し、後の説明で明らかにするＵＳＢメモリ１１の認証処理に基づいて入退室情報のデータ処理を可能とする。
【００４９】
ＣＰＵ７０の外部バスインタフェース７１に対しては、フラッシュメモリなどを用いた不揮発メモリ７４、揮発メモリとして使用されるＳＤＲＡＭ７６、一時バックアップメモリとして使用されるＳＲＡＭ７８、ＣＦカードインタフェース８８、ＬＡＮコントローラ９０、更に状態表示や電気錠の施解錠などを行う制御回路部９４が設けられている。
【００５０】
ＣＦカードインタフェース８８は、図３に示したように、ＣＦカード６４の接続に対する入出力インタフェースを実行する。ＬＡＮコントローラ９０は必要に応じてネットワーク９２に接続し、例えば上位のウェブサーバによるアクセスコントロール装置１０で管理しているデータの取得や閲覧などを可能とする。
【００５１】
制御回路部９４に対しては操作部９６が設けられ、ここにはＵＳＢメモリ取出スイッチ５０、履歴データ書出しスイッチ５２、設備データ読込スイッチ５４、日時設定スイッチ５６が設けられている。また制御回路部９４に対しては、表示灯９８、ブザー１００、タンパースイッチ４６が設けられている。
【００５２】
更に制御回路部９４に対しては電気錠駆動回路１０６が設けられ、近傍に設置されたドアの電気錠１０８の施錠と解錠を制御する。更にまた、制御回路部９４に対し接点信号入出力回路部１１０が設けられ、接点信号の入出力により外部機器１１２に対する移報出力や外部機器１１２からの移報入力が行われる。外部機器１１２としては例えば火災報知設備による火災検出接点信号、防犯監視システムによる侵入者検出接点信号の入力などが行われる。
【００５３】
図５は時刻登録、時報、時刻アジャスト、時刻吐出しを行う本発明によるアクセスコントロール装置の実施形態を示した機能ブロック図である。
【００５４】
図５において、アクセスコントロール装置に設けたＣＰＵ７０は、プログラムの実行により実現される機能として、時刻登録部１１４、ＵＳＢメモリ検出部１１５、入退出制御処理部１１６、時報報知部１１８、簡易時刻合せ部１２０、強制時刻合せ部１２２及び時刻情報吐出し部１２４が設けられている。なおＵＳＢメモリ１１５は、時刻処理につき時刻登録部１１４と時刻情報吐出し部１２４に関連することから、両者を線で接続して関連付けしている。
【００５５】
ＣＰＵ７０に対して設けたリアルタイムクロック回路部７２は、年月日時分となる内部時刻情報１２８を生成し、必要に応じてＣＰＵ７０が内部時刻情報１２８を取得することができる。
【００５６】
本実施形態における時刻登録、時刻アジャストの操作には、時刻設定スイッチ５６と設備データ読込スイッチ５４が基本的に使用される。またＣＰＵ７０に接続したＣＦカード６４には、ＵＳＢメモリ１１の認証に使用する管理用シリアルＩＤ１２６が予め記憶されている。更にＣＰＵ７０に対しては、ＳＲＡＭ７８やＣＦカード６４を使用して情報管理ファイル１３０が設けられ、運用履歴情報１３２に加え利用者情報や設備設定情報が格納されている。
【００５７】
一方、ＵＳＢメモリ１１にはＵＳＢメモリに固有なシリアルＩＤ１３４が設定されており、本実施形態にあっては、ＵＳＢメモリ１１のシリアルＩＤ１３４を利用して、アクセスコントロール装置１０のＣＰＵ７０に設けたＣＰＵメモリ検出部１１５で認証処理を実行し、不正なデータアクセスを防ぐようにしている。
【００５８】
ＵＳＢメモリ１１には、時刻登録の際には支援用のパーソナルコンピュータなどを使用して設定時刻情報１３６が予め記憶されている。この設定時刻情報１３６としては、時刻登録を行いたい未来の日時例えば当日の正午に時刻登録を行いたい場合には、午前中に当日の「１２時００分００秒」を登録しておく。
【００５９】
またＵＳＢメモリ１１には、ＣＰＵ７０に設けた時刻情報吐出し部１２４の処理により読み出された吐出し時刻情報１３８が、その際に格納されることになる。
【００６０】
ここでＣＰＵ７０に設けた各部の機能を説明すると次のようになる。まず時刻登録部１１４は、設定時刻情報１３６を予め記憶したＵＳＢメモリ１１を、図３に示したカバー１２を開いた本体１４のＵＳＢコネクタ６０に挿入接続した状態で、例えば当日のテレビ、ラジオあるいは電話サービスで提供される時報を聞きながら、正午の時報と同時に時刻設定スイッチ５６を操作すると、この時刻設定スイッチ５６の操作を検出した際に、ＵＳＢメモリ１１に記憶している時刻設定情報１３６を読み出して、リアルタイムクロック回路部７２に設定時刻情報１３６を登録して時計動作を開始することで、アクセスコントロール装置１０の時刻情報を正しい時刻情報にセットする。
【００６１】
この時刻登録の際のＵＳＢメモリ１１の検出については、ＵＳＢメモリ検出部１１５がＵＳＢメモリ１１の挿入を検出すると同時に、正しいＵＳＢメモリ１１が接続されたか否かの認証処理を実行し、認証成功で有効なＵＳＢメモリ１１と判断して、時刻登録部１１４によりＵＳＢメモリ１１の設定時刻情報１３６による登録処理を実行させる。
【００６２】
ＵＳＢメモリ検出部１１５によるＵＳＢメモリ１１の認証処理としては、次の３つの手法のいずれかを行うことができる。
【００６３】
（１）管理用として定めたＵＳＢメモリ１１のシリアルＩＤ１３４を管理用シリアルＩＤ１２６としてＣＦカード６４に予め登録しておき、ＵＳＢメモリ１１を接続した際にＵＳＢメモリから読み出したシリアルＩＤ１３４が、ＣＦカード６４に登録した管理用のシリアルＩＤ１２８と比較して一致したときに、認証成功とする。
【００６４】
（２）管理用として定めたＵＳＢメモリ１１のシリアルＩＤ１３４をＣＦカード６４に管理用シリアルＩＤ１２６として予め登録しておき、ＵＳＢメモリ１１を接続した際にＵＳＢメモリ１１から暗号化したシリアルＩＤを読み出して復号し、ＣＦカード６４に登録した管理用シリアルＩＤ１２６と比較して一致したときに、認証成功とする。
【００６５】
（３）管理用シリアルＩＤ１２６をＣＦカード６４に登録せず、ＵＳＢメモリ１１を接続した際にＵＳＢメモリ１１からシリアルＩＤ１３４を読み出すと共に、予めＵＳＢメモリ１１に記憶している暗号化シリアルＩＤを読み出して復号し、両者を比較して一致したときに、認証成功とする。
【００６６】
時刻登録部１１４による正しい時刻セットがリアルタイムクロック回路部７２に対し行われると、正しい内部時刻情報１２８が生成されるようになり、これによってアクセスコントロール装置１０は入退室制御処理部１１６による運用を開始することになる。
【００６７】
入退出制御処理部１１６は、利用者が保有するカードを読み取ることにより得られたカード識別情報と、情報管理ファイル１３０に格納している利用者識別情報との照合を行い、照合一致が得られると電気錠を開錠し、利用者の入室を可能とし、利用者がドアを開いて入室したときのドアの開の検出とその後の閉検出に基づき、電気錠を再び施錠する。この際に、運用履歴情報１３２に利用者の入室時刻を格納し、これに基づき在室利用者の状況が管理できるようにする。
【００６８】
また時間帯による電気錠の開錠、施錠管理が設定されている場合には、リアルタイムクロック回路部７２で生成している内部時刻情報１２８が開錠設定時刻に達したら電気錠を開錠し、その後、施錠設定時刻に達したら電気錠を施錠することになる。
【００６９】
またＣＰＵ７０に設けた時報報知部１１８は、リアルタイムクロック回路部７２で生成している内部時刻情報１２８が、１日２４時間について予め定めた所定の標準時刻、例えば「１２時００分００秒」に達したことを判別し、ブザー４８の鳴動により時報を出力する。
【００７０】
このような時報報知部１１８による時報出力により、アクセスコントロール装置１０に時刻表示器が設けられていなくとも、時報が出力される正午前にアクセスコントロール装置１０の近くに行き、アクセスコントロール装置１０から時報が出されたときのみ時計を見ることで、アクセスコントロール装置１０における内部の時刻情報が実際の時刻に一致しているか、それともどの程度ずれているかを簡単に知ることができる。なお、この所定の標準時刻は、標準時刻が格納されたＵＳＢメモリ１１をアクセスコントロール装置１０に挿入接続して読み込むことで、時報出力の時刻を変更することができる。
【００７１】
時報報知部１１８の機能による時報出力を聞いて内部の時刻情報１２８のずれを知った場合には、必要に応じて時刻合せの調整作業を行うことになる。本実施形態にあっては、簡易時刻合せ部１２０による簡易アジャストと強制時刻合せ部１２２による強制アジャストの２つの時刻合せを行うことができる。
【００７２】
簡易時刻合せ部１２０は、図３に示すように、カバー１２を外した状態で本体１４の下側に設けている時刻設定スイッチ５６を例えば長押し操作することで時刻合せ待ち受け状態となり、この状態で時刻設定スイッチ５６を操作すると時刻情報の簡易アジャストを行うことができる。
【００７３】
簡易時刻合せ部１２０は、時刻設定スイッチ５６の長押し操作による簡易時刻合せの待ち受け状態で時刻設定スイッチ５６の操作を検出すると、そのときリアルタイムクロック回路部７２で生成している現在の時刻情報のずれを３０分以内の遅れまたは３０分未満の進みと見なして、０分０秒の時刻に時刻合せする。
【００７４】
例えばリアルタイムクロック回路部７２の内部時刻情報１２８が「１１時２９分５９秒」のときに操作を行うと、「１１時００分００秒」に設定される。また時刻情報１２８が「１１時３０分００秒」に操作を行うと、「１１時００分００秒」に設定される。
【００７５】
このように簡易時刻合せ部１２０にあっては、実時刻とのずれが３０分以内であれば、各時刻の「００分００秒」に時刻をアジャストすることができる。
【００７６】
ここで、実時刻とのずれが３０分以上となる場合には、簡易時刻合せでは１時間のずれとなってしまう。例えば実時刻「１１時００分００秒」に対し内部の時刻情報が４５分進んだ「１１時４５分００秒」のときに簡易時刻合せを行うと、３０分以内の時刻ずれと看做して「１２時００分００秒」に時刻合せし、１時間のずれを生じてしまう。そこで３０分を越える時刻ずれについては次の強制時刻合せを行う。
【００７７】
強制時刻合せ部１２２は、図３に示すように、カバー１２を外した状態で本体１４の下側に設けている時刻設定スイッチ５６と設備データ読込スイッチ５４を同時操作すると時刻合せ待ち受け状態となり、この状態で時刻設定スイッチ５６を操作すると時刻情報の強制時刻合せを行うことができる。
【００７８】
この強制時刻合せは、リアルタイムクロック回路部７２で生成している時刻情報１２８を標準時刻として定めた当日の「１２時００分００秒」に強制的に設定する。これによって、実時刻に対する時刻ずれが３０分以上に及ぶ場合にあっても、正しい実時刻に時刻合せすることができる。
【００７９】
この簡易時刻合せ部及び強制時刻合せ部による時刻合わせをした際は、時刻合わせをしたことを履歴として保存し、そのときの調整時間幅、調整前後の時刻情報も記憶させる。これにより、時刻調整履歴を可搬性メモリデバイスに書き込んでパソコン等で履歴を確認する際に、時刻調整前に発生した各種履歴情報の正確な発生時刻を把握することができる。
【００８０】
更に簡易時刻合せ部１２０あるいは強制時刻合せ部１２２で時刻合せを実行した際に実時刻とのずれの度合が分かることから、その際にブザー４８の音響出力を利用して、どの程度の時刻ずれが発生しているかを報知するようにする。
【００８１】
例えば１５分以内の時刻ずれであれば「ピッ」と鳴動し、１５〜３０分の時刻ずれであれば「ピッピッ」と鳴動し、３０分〜４５分の時刻ずれであれば「ピッピッピッ」と鳴動し、４５分〜６０分の時刻ずれであれば「ピッピッピッピッ」と鳴動し、更に１時間を越える時刻ずれであれば連続鳴動音「ピー」とすればよい。もちろん、ずれ時刻とブザーによる音響出力との関係は必要に応じて適宜に定めることができる。
【００８２】
このような簡易時刻合せあるいは強制時刻合せの際の時刻ずれを示すブザーによる音響出力により、どの程度の時刻ずれが発生したかを簡単に把握し、簡易時刻合せをするか、強制時刻合せをするかを判断することができる。
【００８３】
時刻情報吐出し部１２４は、アクセスコントロール装置１０にＵＳＢメモリ１１を挿入接続した状態で、図３の本体１４内に設けている履歴データ書出スイッチ５２を操作すると、このスイッチ操作が判別されて、そのとき生成しているリアルタイムクロック回路部７２の時刻情報１２８がＵＳＢメモリ１１に吐出し時刻情報１３８として書き込まれる。
【００８４】
このようなＵＳＢメモリ１１に対する吐出し時刻情報１３８の書込みができたならば、ＵＳＢメモリ１１を外して管理用のパーソナルコンピュータにセットすることで、ＵＳＢメモリ１１に格納した吐出し時刻情報１３８をディスプレイ上に表示することができ、時刻吐出し時の実時刻とＵＳＢメモリの時刻と比較することで、実際にどの程度の時刻ずれが生じているかを簡単に知ることができる。
【００８５】
ＵＳＢメモリ１１に吐き出した時刻情報を見て実時刻との時刻ずれを認識することで、それまでＵＳＢメモリ１１を用いて取得した運用履歴情報の時刻情報に時刻ずれが発生していることが分かり、吐出し時刻情報１３８から認識した時刻ずれを用いて運用履歴情報の正しい発生時刻に修正するなどの作業が可能となる。
【００８６】
またＵＳＢメモリ１１に吐き出した吐出し時刻情報１３８を見て、あまりにも実時刻とのずれが大きい場合には、再度、ＵＳＢメモリ１１に設定時刻情報１３６を登録してアクセスコントロール装置１０に挿入し、時刻登録部１１４による登録操作でリアルタイムクロック回路部７２に対し再度、正しい時刻セットを行う。
【００８７】
図６は図５の実施形態における時刻管理処理を示したフローチャートである。図６において、時刻管理処理は、アクセスコントロール装置１０の電源投入による動作に伴い、ステップＳ１で初期化処理を行った後、ステップＳ２でリアルタイムクロック回路部７２の時刻情報１２８を正しい実時刻に合わせるための時刻登録部１１４による時刻登録処理を実行する。
【００８８】
時刻登録処理が済むと、アクセスコントロール装置１０は運用状態に入り、ステップＳ３で時刻情報１２８が各時刻の「００分００秒」に達するごとに、ブザーから時刻を示す音響出力を行う時報報知処理が実行される。
【００８９】
また運用中にあっては、必要に応じてステップＳ４の簡易時刻合せ処理、ステップＳ５の強制時刻合せ処理が、ステップＳ３における時刻報知処理に基づく時刻ずれの度合に応じて必要に応じて実行される。またステップＳ６で必要があれば、リアルタイムクロック回路部７２で生成している時刻情報をＵＳＢメモリ１１に吐き出して確認する時刻情報吐出し処理を実行される。
【００９０】
図７は図６のステップＳ２における時刻登録処理の詳細を示したフローチャートである。図７において、時刻登録処理は、ステップＳ１１でＵＳＢメモリ１１の挿入検出の有無をチェックしており、挿入を検出するとステップＳ１２に進み、ＵＳＢメモリ認証処理を実行する。この認証処理は、前記（１）〜（３）に示したいずれかの手法をとればよい。
【００９１】
ステップＳ１３でＵＳＢメモリの認証処理の結果につき認証成功を判別すると、ステップＳ１４に進み、ＵＳＢメモリ１１から設定時刻情報１３６を読み出して、ワークメモリとして使用している例えばＳＤＲＡＭ７６に記憶する。
【００９２】
ＵＳＢメモリ１１には時刻登録を行う未来の設定時刻情報１３６が記憶されていることから、この設定時刻情報１３６の時刻例えば当日の正午に達したときに時刻設定スイッチ５６をオンすると、ステップＳ１５で時刻設定スイッチ５６のオンが判別され、ステップＳ１６でワークメモリに記憶しているＵＳＢメモリ１１から読み出した時刻設定情報をリアルタイムクロック回路部７２の内部時刻にセットし、これによって実時刻に内部の時刻情報１２８を時刻合せする。
【００９３】
続いてステップＳ１７でＵＳＢメモリ１１を取り外す際に操作するＵＳＢメモリ取外しスイッチ５０の操作を判別すると、一連の時刻登録処理を終了して、図５のメインルーチンにリターンする。
【００９４】
一方、ステップＳ１３でＵＳＢメモリ１１の認証不成功となった場合には、管理者が保有しているＵＳＢメモリ１１以外のＵＳＢメモリの挿入であり、権限のない者によるアクセスであることから、ステップＳ１８でエラー警報を出して時刻設定処理を終了する。
【００９５】
図８は図６のステップＳ４における簡易時刻合せ処理の詳細を示したフローチャートである。図８において、時刻合せ処理は、ステップＳ２１で時刻設定スイッチ５６の長押し操作を判別すると、ステップＳ２２で簡易アジャスト待受け状態に移行する。
【００９６】
この状態で時刻設定スイッチ５６を操作してスイッチオンが判別されると、ステップＳ２４でリアルタイムクロック回路部７２の現在の時刻「ＨＨ時ＭＭ分ＳＳ秒」を取得する。続いてステップＳ２５で実時刻に対する３０分未満の時刻ずれと看做してリアルタイムクロック回路部７２の時刻情報を「ＨＨ時００分００秒」にアジャストする。
【００９７】
続いてステップＳ２６で、ステップＳ２４で取得したアジャスト前の時刻「ＨＨ時ＭＭ分ＳＳ秒」とステップＳ２５でアジャストした後の「ＨＨ時００分００秒」の時刻ずれを求め、ステップＳ２７で算出した時刻ずれに応じたブザー鳴動を行う。この場合には例えば３０分以内の時刻ずれであることから、１５分未満の時刻ずれであればブザーを「ピッ」と鳴動し、１５〜３０分の時刻ずれであればブザーを「ピッピッ」と鳴動する。
【００９８】
このように図８の簡易時刻合せにあっては、リアルタイムクロック回路部７２の時刻ずれを実時刻に対し３０分以内のときに正しい実時刻にアジャストすることができる。
【００９９】
図９は図６のステップＳ５における強制時刻合せ処理の詳細を示したフローチャートである。図９において、強制時刻合せ処理は、ステップＳ３１で時刻設定スイッチ５６と別スイッチ例えば設備データ読込みスイッチ５４の同時長押し操作を行って、これが判別されると、ステップＳ３２に進み、強制アジャスト待受け状態となる。
【０１００】
この状態で、例えば強制時刻合せの時刻となる当日の正午の時報に合わせて時刻設定スイッチ５６を操作すると、ステップＳ３４でリアルタイムクロック回路部７２の現在の時刻情報「ＨＨ時ＭＭ分ＳＳ秒」を取得した後、ステップＳ３５で標準時刻として定めた当日の「１２時００分００秒」にリアルタイムクロック回路部７２が強制的にアジャストされ、実時刻に一致する。
【０１０１】
続いてステップＳ３６で、ステップＳ３４で取得したアジャスト前のリアルタイムクロック回路部７２の時刻情報と標準時刻との時刻ずれを求め、ステップＳ３５で時刻ずれに応じたブザー鳴動を行って、どの程度の時刻ずれが発生したかを報知する。
【０１０２】
図１０は図６のステップＳ６における時刻情報吐出し処理の詳細を示したフローチャートである。図１０の時刻吐出し処理において、ステップＳ１１でＵＳＢメモリ１１の挿入検出を判別すると、ステップＳ４２に進み、ＵＳＢメモリ１１の認証処理を実行する。
【０１０３】
この認証処理の結果につき、ステップＳ４３で認証成功を判別すると、ステップＳ４４に進み、履歴データ書出しスイッチ５２のスイッチオンを判別すると、ステップＳ４５でＵＳＢメモリ１１にそのときのリアルタイムクロック回路部７２の現在の時刻情報を吐出し時刻情報１３８として書き出す。
【０１０４】
続いてステップＳ４６でＵＳＢメモリ取外しスイッチ５０のスイッチオンを判別すると、一連の時刻吐出し処理を終了する。またステップＳ４３でＵＳＢメモリ１１の認証不成功であった場合には、ステップＳ４７でエラー警報を出し、時刻吐出し処理はスキップする。
【０１０５】
なお、上記の実施形態は可搬型メモリデバイスとしてＵＳＢメモリを例に取るものであったが、これ以外に可搬型のメモリデバイスであれば適宜のメモリデバイスを使用することができる。
【０１０６】
また上記の実施形態にあっては、時報や時刻ずれの報知にブザー鳴動を使用しているが、ブザー鳴動に合わせてあるいはブザー鳴動とは別に、図１のカバー１２に設けている適宜の表示灯を利用した表示で報知するようにしてもよい。
【０１０７】
また、上記の実施形態において時刻登録、簡易時刻合せ、強制時刻合せ、或いは時刻情報吐出しなどの処理が行われた場合には、情報管理ファイル１３０の運用履歴情報１３２に、各処理がイベントとして時刻情報と共に記憶される。
【０１０８】
また、本発明は、時刻表示部を備えない装置のみに必ずしも限定されるものではない。例えば、可搬型メモリデバイスからの時刻情報を読み出して時刻設定することは、時刻表示部を備えている装置であっても適用でき、簡単な操作で時刻登録作業を行うことができる。
【０１０９】
また、各利用者の識別情報としては、カードに格納された識別情報に限らず、携帯電話などに格納したり、人体の特定部位によって利用者が識別できるものを利用してもよい。
【０１１０】
また本発明は、その目的と利点を損なうことのない適宜の変形を含み、更に上記の実施形態に示した数値による限定は受けない。
【符号の説明】
【０１１１】
１０：アクセスコントロール装置
１１：ＵＳＢメモリ
１２：カバー
１４：本体
１６：シリンダー錠
１８：非接触カードリーダ部
５０：ＵＳＢメモリ取出スイッチ
６０：ＵＳＢコネクタ
７０：ＣＰＵ
７２：リアルタイムクロック回路部
７４：不揮発メモリ
９４：制御回路部
１０６：電気錠駆動回路
１０８：電気錠
１１４：時刻登録部
１１５：ＵＳＢメモリ検出部
１１６：入退出制御処理部
１１８：時報報知部
１２０：簡易時刻合せ部
１２２：強制時刻合せ部
１２４：時刻情報吐出し部
１２６：管理用シリアルＩＤ
１２８：内部時刻情報
１３０：ファイル
１３４：シリアルＩＤ
１３６：設定時刻情報
【図１】
2010160729.tif 000003
【図２】
2010160729.tif 000004
【図３】
2010160729.tif 000005
【図４】
2010160729.tif 000006
【図５】
2010160729.tif 000007
【図６】
2010160729.tif 000008
【図７】
2010160729.tif 000009
【図８】
2010160729.tif 000010
【図９】
2010160729.tif 000011
【図１０】
2010160729.tif 000012